(57)【特許請求の範囲】
【請求項１】
検査が実施される患者の患者情報と、該患者に対して実施する該検査の検査情報とを含む検査オーダを、第一の医師が操作する第一の端末から取得する取得ステップと、
前記検査情報を指定した検査条件と、該検査条件に対応する検査の実施前に第二の医師による確認が必要となる前記患者の前記患者情報を指定したチェック条件と、前記検査条件によって指定された前記検査が、前記チェック条件で指定された前記患者情報を有する患者に対して実施された場合に、該患者に与える影響に基づいて設定される項目と、を関連付けた検査チェックマスタと、前記取得ステップで取得した前記検査オーダとに基づいて、該第二の医師による該検査オーダの確認が必要か否か判定する判定ステップと、
前記検査オーダに対する前記判定ステップでの判定結果を、前記第二の医師が操作する第二の端末に表示する表示ステップと、
前記第二の端末から前記検査オーダの実施許可を受付ける受付ステップと、
前記第二の医師の確認が必要な前記検査オーダについては、前記受付ステップで前記実施許可を受付けるまで、前記検査を実施する技師が前記検査オーダの少なくとも一部を閲覧できないようにする閲覧制御ステップと、
をコンピュータに実行させ、
前記判定ステップでは、前記患者に与える影響に基づいて設定される項目の値が所定の値である場合に、前記第二の医師による前記検査オーダの確認が必要であると判定することを特徴とする検査実施支援プログラム。
【請求項２】
前記閲覧制御ステップでは、前記第二の医師による確認が必要な前記検査オーダについては、前記受付ステップで前記実施許可を受付けるまで、前記検査オーダに含まれる前記検査情報のうち、前記検査の種別を表す検査種別を、前記技師に閲覧可能にすることを特徴とする請求項１に記載の検査実施支援プログラム。
【請求項３】
前記第二の医師が操作する前記第二の端末から、前記検査オーダに含まれる前記検査情報に対する指示情報の入力を受付ける指示受付ステップと、
前記指示受付ステップで、前記指示情報の入力を受付けた場合、前記指示情報が入力された前記検査オーダに含まれる検査情報及び患者情報を、それぞれ前記検査条件および前記チェック条件とし、該指示情報と関連付けて前記検査チェックマスタに登録する登録ステップと、を前記コンピュータに実行させ、
前記受付ステップで他の検査オーダに対する実施許可を受付けた場合に、前記閲覧制御ステップでは、前記指示情報と関連付けられた前記検査条件及び前記チェック条件と、前記他の検査オーダに含まれる他の検査情報及び他の患者情報とに基づいて、前記指示情報を追加して該他の検査オーダを閲覧可能とすることを特徴とする請求項１又は２に記載の検査実施支援プログラム。
【請求項４】
前記検査チェックマスタは、前記検査条件によって指定された前記検査が、前記チェック条件で指定された前記患者情報を有する前記患者に対して実施された場合に、該患者に与える影響に基づいて作成されることを特徴とする請求項１から３のいずれか一項記載の検査実施支援プログラム。
【請求項５】
前記検査オーダの少なくとも一部は、前記検査を実施する技師が検査の実施の際に閲覧する情報であることを特徴とする請求項１記載の検査実施支援プログラム。
【請求項６】
検査が実施される患者の患者情報と、該患者に対して実施する該検査の検査情報とを含む検査オーダを、第一の医師が操作する第一の端末から取得する取得部と、
前記検査情報を指定した検査条件と、該検査条件に対応する検査の実施前に第二の医師による確認が必要となる前記患者の前記患者情報を指定したチェック条件と、前記検査条件によって指定された前記検査が、前記チェック条件で指定された前記患者情報を有する患者に対して実施された場合に、該患者に与える影響に基づいて設定される項目と、を関連付けた検査チェックマスタを格納する格納部と、
前記格納部に格納された前記検査チェックマスタと、前記取得部で取得した前記検査オーダとに基づいて、前記第二の医師による該検査オーダの確認が必要か否か判定する判定部と、
前記検査オーダに対する前記判定部による判定結果を、前記第二の医師が操作する第二の端末に表示する表示部と、
前記第二の端末から前記検査オーダの実施許可を受付ける受付部と、
前記第二の医師の確認が必要な前記検査オーダについては、前記受付部にて前記実施許可を受付けるまで、前記検査を実施する技師が前記検査オーダの少なくとも一部を閲覧できないようにする閲覧制御部と、
を備え、
前記判定部は、前記患者に与える影響に基づいて設定される項目の値が所定の値である場合に、前記第二の医師による前記検査オーダの確認が必要であると判定することを特徴とする検査実施支援装置。
【請求項７】
検査が実施される患者の患者情報と、該患者に対して実施する該検査の検査情報とを含む検査オーダを、第一の医師が操作する第一の端末から取得する取得部と、前記検査情報を指定した検査条件と、該検査条件に対応する検査の実施前に第二の医師による確認が必要となる前記患者の前記患者情報を指定したチェック条件と、前記検査条件によって指定された前記検査が、前記チェック条件で指定された前記患者情報を有する患者に対して実施された場合に、該患者に与える影響に基づいて設定される項目と、を関連付けた検査チェックマスタを格納する格納部と、前記格納部に格納された前記検査チェックマスタと、前記取得部で取得した前記検査オーダとに基づいて、前記第二の医師による該検査オーダの確認が必要か否か判定する判定部と、を備え、前記判定部は、前記患者に与える影響に基づいて設定される項目の値が所定の値である場合に、前記第二の医師による前記検査オーダの確認が必要であると判定する第１の情報処理装置と、
前記検査オーダに対する前記判定部による判定結果を、前記第二の医師が操作する第二の端末に表示する表示部と、前記第二の端末から前記検査オーダの実施許可を受付ける受付部と、を備える第２の情報処理装置と、
前記第二の医師の確認が必要な前記検査オーダについては、前記受付部にて前記実施許可を受付けるまで、前記検査を実施する技師が前記検査オーダの少なくとも一部を閲覧できないようにする閲覧制御部を備える第３の情報処理装置と、
を備える検査実施支援システム。
【請求項８】
コンピュータが、
検査が実施される患者の患者情報と、該患者に対して実施する該検査の検査情報とを含む検査オーダを、第一の医師が操作する第一の端末から取得する取得ステップと、
前記検査情報を指定した検査条件と、該検査条件に対応する検査の実施前に第二の医師による確認が必要となる前記患者の前記患者情報を指定したチェック条件と、前記検査条件によって指定された前記検査が、前記チェック条件で指定された前記患者情報を有する患者に対して実施された場合に、該患者に与える影響に基づいて設定される項目と、を関連付けた検査チェックマスタと、前記取得ステップで取得した前記検査オーダとに基づいて、該第二の医師による該検査オーダの確認が必要か否か判定する判定ステップと、
前記検査オーダに対する前記判定ステップでの判定結果を、前記第二の医師が操作する第二の端末に表示する表示ステップと、
前記第二の端末から前記検査オーダの実施許可を受付ける受付ステップと、
前記第二の医師の確認が必要な前記検査オーダについては、前記受付ステップで前記実施許可を受付けるまで、前記検査を実施する技師が前記検査オーダの少なくとも一部を閲覧できないようにする閲覧制御ステップと、
を実行し、
前記判定ステップでは、前記患者に与える影響に基づいて設定される項目の値が所定の値である場合に、前記第二の医師による前記検査オーダの確認が必要であると判定することを特徴とする検査実施支援方法。
【発明の詳細な説明】
【技術分野】
【０００１】
本件は、検査実施支援プログラム、検査実施支援装置、検査実施支援システム、及び検査実施支援方法に関する。
【背景技術】
【０００２】
近年、多くの病院において、診療科の医師や看護師といった診療科のスタッフが主として利用し、患者のカルテデータの管理を行う電子カルテシステムが導入されている。また、ＣＲ（Computed Radiography）検査、ＣＴ（Computed Tomography）検査、ＭＲＩ（Magnetic Resonance Imaging）検査、Ｘ線検査等、主として放射線を取り扱い、画像を撮影する検査を行う放射線科において、診療放射線技師が利用する放射線情報システム（ＲＩＳ：Radiology Information System）や、読影専門の医師（読影医）が利用する画像情報システム（ＰＡＣＳ：Picture Archiving and Communication System）の導入も増加している。また、電子カルテシステム、放射線情報システム、及び画像情報システムを、ネットワークを通じて通信可能に接続し、病院内の情報システムを構築する例も多く見られる。
【０００３】
病院においては、患者に対して検査を実施する場合、診療科の医師が放射線科等の検査部門に対して検査オーダを発行し、検査自体は検査部門により行うことが多い。上述の電子カルテシステム、放射線情報システム、及び画像情報システムが導入されている場合、診療科の医師が電子カルテシステムで放射線科に対する検査オーダを発行すると、放射線情報システム及び画像情報システムに検査オーダが送信される。診療放射線技師は、放射線情報システムの端末に表示される検査オーダに基づいて、撮影等の検査を実施する。撮影された画像は、放射線情報システムから画像情報システムに送信される。読影医は、画像情報システムの端末を利用して撮影された画像の診断を行う。読影医は診断結果をレポートとして作成し、電子カルテシステムに送信する。診療科の医師は、撮影された画像と、レポートとを参照しながら治療診断を行うことができる（例えば、特許文献１）。
【先行技術文献】
【特許文献】
【０００４】
【特許文献１】特開２０００−１６６９０８号公報
【発明の概要】
【発明が解決しようとする課題】
【０００５】
ところで、検査オーダに情報が不足している場合や、検査オーダの内容が誤っている可能性がある場合には、診療放射線技師が読影医に指示を仰ぐことがある。例えば、患者が喘息、腎障害、又は心臓病を罹患している場合には、画像にコントラストを付けたり、特定の組織を強調するための造影剤を患者に投与すると、アレルギー症状を引き起こし、そのショック症状により患者に重篤な症状をもたらす可能性がある。そこで、このような検査オーダを受けた場合には、診療放射線技師は読影医に指示を仰ぐ必要がある。
【０００６】
従来の放射線情報システムでは、電子カルテシステムから検査オーダを受付けると、診療放射線技師は、放射線情報システムの端末から検査オーダの内容を閲覧でき、検査を実施できるようになっている。従って、診療放射線技師が検査オーダの誤りに気付かなければ、検査オーダに従った検査を実施してしまい、医療過誤が発生してしまう可能性がある。
【０００７】
本件は、上記の事情に鑑みて成されたものであり、適切な検査の実施を支援できる検査実施支援プログラム、検査実施支援装置、検査実施支援システム、及び検査実施支援方法を提供することを目的とする。
【課題を解決するための手段】
【０００８】
上記課題を解決するために、明細書開示の検査実施支援プログラムは、検査が実施される患者の患者情報と、該患者に対して実施する該検査の検査情報とを含む検査オーダを、第一の医師が操作する第一の端末から取得する取得ステップと、前記検査情報を指定した検査条件と、該検査条件に対応する検査の実施前に第二の医師による確認が必要となる前記患者の前記患者情報を指定したチェック条件と、前記検査条件によって指定された前記検査が、前記チェック条件で指定された前記患者情報を有する患者に対して実施された場合に、該患者に与える影響に基づいて設定される項目と、を関連付けた検査チェックマスタと、前記取得ステップで取得した前記検査オーダとに基づいて、該第二の医師による該検査オーダの確認が必要か否か判定する判定ステップと、前記検査オーダに対する前記判定ステップでの判定結果を、前記第二の医師が操作する第二の端末に表示する表示ステップと、前記第二の端末から前記検査オーダの実施許可を受付ける受付ステップと、前記第二の医師の確認が必要な前記検査オーダについては、前記受付ステップで前記実施許可を受付けるまで、前記検査を実施する技師が前記検査オーダの少なくとも一部を閲覧できないようにする閲覧制御ステップと、をコンピュータに実行させ、前記判定ステップでは、前記患者に与える影響に基づいて設定される項目の値が所定の値である場合に、前記第二の医師による前記検査オーダの確認が必要であると判定する。
【０００９】
上記課題を解決するために、明細書開示の検査実施支援装置は、検査が実施される患者の患者情報と、該患者に対して実施する該検査の検査情報とを含む検査オーダを、第一の医師が操作する第一の端末から取得する取得部と、前記検査情報を指定した検査条件と、該検査条件に対応する検査の実施前に第二の医師による確認が必要となる前記患者の前記患者情報を指定したチェック条件と、前記検査条件によって指定された前記検査が、前記チェック条件で指定された前記患者情報を有する患者に対して実施された場合に、該患者に与える影響に基づいて設定される項目と、を関連付けた検査チェックマスタを格納する格納部と、前記格納部に格納された前記検査チェックマスタと、前記取得部で取得した前記検査オーダとに基づいて、前記第二の医師による該検査オーダの確認が必要か否か判定する判定部と、前記検査オーダに対する前記判定部による判定結果を、前記第二の医師が操作する第二の端末に表示する表示部と、前記第二の端末から前記検査オーダの実施許可を受付ける受付部と、前記第二の医師の確認が必要な前記検査オーダについては、前記受付部にて前記実施許可を受付けるまで、前記検査を実施する技師が前記検査オーダの少なくとも一部を閲覧できないようにする閲覧制御部と、を備え、前記判定部は、前記患者に与える影響に基づいて設定される項目の値が所定の値である場合に、前記第二の医師による前記検査オーダの確認が必要であると判定する。
【００１０】
上記課題を解決するために、明細書開示の検査実施支援システムは、検査が実施される患者の患者情報と、該患者に対して実施する該検査の検査情報とを含む検査オーダを、第一の医師が操作する第一の端末から取得する取得部と、前記検査情報を指定した検査条件と、該検査条件に対応する検査の実施前に第二の医師による確認が必要となる前記患者の前記患者情報を指定したチェック条件と、前記検査条件によって指定された前記検査が、前記チェック条件で指定された前記患者情報を有する患者に対して実施された場合に、該患者に与える影響に基づいて設定される項目と、を関連付けた検査チェックマスタを格納する格納部と、前記格納部に格納された前記検査チェックマスタと、前記取得部で取得した前記検査オーダとに基づいて、前記第二の医師による該検査オーダの確認が必要か否か判定する判定部と、を備え、前記判定部は、前記患者に与える影響に基づいて設定される項目の値が所定の値である場合に、前記第二の医師による前記検査オーダの確認が必要であると判定する第１の情報処理装置と、前記検査オーダに対する前記判定部による判定結果を、前記第二の医師が操作する第二の端末に表示する表示部と、前記第二の端末から前記検査オーダの実施許可を受付ける受付部と、を備える第２の情報処理装置と、前記第二の医師の確認が必要な前記検査オーダについては、前記受付部にて前記実施許可を受付けるまで、前記検査を実施する技師が前記検査オーダの少なくとも一部を閲覧できないようにする閲覧制御部を備える第３の情報処理装置と、を備える。
【００１１】
上記課題を解決するために、明細書開示の検査実施支援方法は、コンピュータが、検査が実施される患者の患者情報と、該患者に対して実施する該検査の検査情報とを含む検査オーダを、第一の医師が操作する第一の端末から取得する取得ステップと、前記検査情報を指定した検査条件と、該検査条件に対応する検査の実施前に第二の医師による確認が必要となる前記患者の前記患者情報を指定したチェック条件と、前記検査条件によって指定された前記検査が、前記チェック条件で指定された前記患者情報を有する患者に対して実施された場合に、該患者に与える影響に基づいて設定される項目と、を関連付けた検査チェックマスタと、前記取得ステップで取得した前記検査オーダとに基づいて、該第二の医師による該検査オーダの確認が必要か否か判定する判定ステップと、前記検査オーダに対する前記判定ステップでの判定結果を、前記第二の医師が操作する第二の端末に表示する表示ステップと、前記第二の端末から前記検査オーダの実施許可を受付ける受付ステップと、前記第二の医師の確認が必要な前記検査オーダについては、前記受付ステップで前記実施許可を受付けるまで、前記検査を実施する技師が前記検査オーダの少なくとも一部を閲覧できないようにする閲覧制御ステップと、を実行し、前記判定ステップでは、前記患者に与える影響に基づいて設定される項目の値が所定の値である場合に、前記第二の医師による前記検査オーダの確認が必要であると判定する。
【発明の効果】
【００１２】
明細書開示の検査実施支援プログラム、検査実施支援装置、検査実施支援システム、及び検査実施支援方法によれば、適切な検査の実施を支援できる。
【図面の簡単な説明】
【００１３】
【図１】本件の検査実施支援装置を含む、病院内の情報システムの一例を示す図である。
【図２】ＲＩＳ・ＰＡＣＳ複合システムのハードウェア構成の一例を示す図である。
【図３】ＲＩＳ・ＰＡＣＳ複合システムが備える機能の一例を示す機能ブロック図である。
【図４】格納部に格納される検査オーダテーブル、及び検査チェックマスタの一例である。
【図５】診療放射線技師が操作するユーザ端末に表示される検査オーダ詳細画面の一例を示す図である。
【図６】撮影指示の追加表示の一例について説明するための図である。
【図７】読影医が操作するユーザ端末に表示される検査オーダの一例である。
【図８】検査チェックマスタへの撮影指示の登録について説明する図である。
【図９】閲覧制御部が閲覧制御を実施した場合に、診療放射線技師が操作するユーザ端末に表示される検査オーダ一覧の例である。
【図１０】読影医による検査オーダの確認が必要か否か判定する処理の一例を表すフローチャートである。
【図１１】検査オーダの閲覧要求を受付けた場合に、ＲＩＳ・ＰＡＣＳ複合システム３０が実行する処理の一例を示すフローチャートである。
【図１２】検査実施支援システムの構成の一例を示す図である。
【発明を実施するための形態】
【００１４】
以下、本件の実施例について、添付図面を参照しつつ説明する。
【００１５】
まず、図１を参照して、本件の検査実施支援装置を含む、病院内の情報システムの一例について説明する。図１に示すように、ユーザ端末１０ａ〜１０ｃ、電子カルテシステム２０、及びＲＩＳ・ＰＡＣＳ複合システム（検査実施支援装置）３０を備える。
【００１６】
ユーザ端末１０ａ〜１０ｃは、クライアント端末であり、ＬＡＮ(Local Area Network)等の病院内に構築されたネットワーク４０を介して電子カルテシステム２０、及びＲＩＳ・ＰＡＣＳ複合システム３０と接続する。ユーザ端末１０ａ〜１０ｃは、例えばパーソナルコンピュータであって、無線通信端末、ＰＤＡ(Personal Digital Assistant)などであってもよい。ユーザ端末１０ａ〜１０ｃは、手術等の処置を行う処置室、Ｘ線撮影等を行う撮影室、各種の検査を行う検査室、医師が診察を行う診察室等に設置される。本実施例では、ユーザ端末１０ａは、診察室に設置され診療科の医師が操作するものとする。また、ユーザ端末１０ｂはＸ線撮影等を行う撮影室に設置され、放射線科の診療放射線技師が操作するものとする。また、ユーザ端末１０ｃは放射線科の読影室に設置され、放射線科の読影医が操作するものとする。
【００１７】
診療科の医師（第一の医師）は、ユーザ端末１０ａ（第一の端末）を用いて、電子カルテシステム２０から患者の電子カルテ情報を呼び出し、電子カルテの入力（作成）や閲覧を行う。また、診療科の医師は、ユーザ端末１０ａを用いて放射線科に対し検査の実施を依頼する検査オーダの作成を行う。ユーザ端末１０ａに入力された検査オーダは、電子カルテシステム２０に送信される。
【００１８】
放射線科の診療放射線技師（検査を実施する技師）は、ユーザ端末１０ｂを用いて、ＲＩＳ・ＰＡＣＳ複合システム３０にアクセスし、検査オーダを閲覧する。診療放射線技師は、検査オーダを閲覧することで、検査内容を確認できる。また、診療放射線技師は、検査オーダの検査情報に従って検査（撮影）を実施する。検査が終了すると、診療放射線技師は、ユーザ端末１０ｂに表示された検査オーダに対し、撮影画像及び検査実施時の検査条件の詳細を含む実施結果を入力する。実施結果は、ユーザ端末１０ｂからＲＩＳ・ＰＡＣＳ複合システム３０に送信される。
【００１９】
読影医（第二の医師）は、ユーザ端末１０ｃ（第二の端末）を操作して、診療放射線技師が撮影した画像をＲＩＳ・ＰＡＣＳ複合システム３０から取得し、ユーザ端末１０ｃに表示させる。読影医は、ユーザ端末１０ｃに表示された画像の読影を行い、読影レポートを作成する。作成された読影レポートは、ユーザ端末１０ｃからＲＩＳ・ＰＡＣＳ複合システム３０に送信される。
【００２０】
電子カルテシステム２０は、例えばサーバコンピュータであり、電子カルテに関する各種の情報を一元管理する。電子カルテシステム２０は、ユーザ端末１０ａからの要求に応じて、電子カルテ情報をユーザ端末１０ａに送信する。また、ユーザ端末１０ａから送信された検査オーダを受信し、電子カルテシステム２０が管理する検査オーダの情報を更新するとともに、検査オーダをＲＩＳ・ＰＡＣＳ複合システム３０に送信する。
【００２１】
ＲＩＳ・ＰＡＣＳ複合システム３０は、例えばサーバコンピュータであり、放射線科において実施される検査及び、読影を支援するためのシステムである。ＲＩＳ・ＰＡＣＳ複合システム３０は、電子カルテシステム２０から、検査オーダを受信する。ＲＩＳ・ＰＡＣＳ複合システム３０は、診療放射線技師が操作するユーザ端末１０ｂからの要求に応じて、検査オーダの情報をユーザ端末１０ｂに送信する。また、ＲＩＳ・ＰＡＣＳ複合システム３０は、ユーザ端末１０ｂから送信された検査の実施記録を受信する。
【００２２】
また、ＲＩＳ・ＰＡＣＳ複合システム３０は、読影医が操作するユーザ端末１０ｃからの要求に応じて、診療放射線技師が撮影した画像を、ユーザ端末１０ｃに送信する。また、ＲＩＳ・ＰＡＣＳ複合システム３０は、ユーザ端末１０ｃから送信された読影レポートを受信する。ＲＩＳ・ＰＡＣＳ複合システム３０は、受信した読影レポートの情報を、電子カルテシステム２０に送信する。これにより、診療科の医師は、検査オーダで依頼した検査の検査結果を電子カルテシステム２０から確認することができる。
【００２３】
次に、ＲＩＳ・ＰＡＣＳ複合システム３０のハードウェア構成の一例について説明する。図２は、ＲＩＳ・ＰＡＣＳ複合システム３０のハードウェア構成の一例を示す図である。
【００２４】
ＲＩＳ・ＰＡＣＳ複合システム３０は、入出力部３０１、ＲＯＭ(Read Only Memory)３０２、中央処理装置（ＣＰＵ:Central Processing Unit）３０３、ＲＡＭ(Random Access Memory)３０４、ハードディスク（ＨＤＤ：Hard Disk Drive）３０５を備える。
【００２５】
入出力部３０１は、ユーザ端末１０ａ〜１０ｃ、及び電子カルテシステム２０との間でデータの送受信を行う。ＲＯＭ３０２は、読影医による検査オーダの確認要否を決定するプログラム（詳細は後述）等を格納する。ＣＰＵ３０３は、ＲＯＭ３０２に格納されたプログラムを読み込んで実行する。また、ＲＯＭ３０２に格納されたプログラムのＣＰＵ３０３による演算によって、図３に示す取得部３１２、判定部３１３、表示部３１４、受付部３１５、登録部３１６及び閲覧制御部３１７が有する機能が実行される。ＲＡＭ３０４は、プログラムを実行する際に使用される一時的なデータを保存する。ＨＤＤ３０５は、電子カルテシステム２０から受信した検査オーダや、診療放射線技師が撮影した画像、読影医が作成した読影レポート等を格納し、図３の格納部３１１に相当する。
【００２６】
次に、ＲＩＳ・ＰＡＣＳ複合システム３０が備える機能の一例について説明する。図３は、ＲＩＳ・ＰＡＣＳ複合システム３０が備える機能の一例を示す機能ブロック図である。
【００２７】
ＲＩＳ・ＰＡＣＳ複合システム３０は、格納部３１１、取得部３１２、判定部３１３、表示部３１４、受付部３１５、登録部３１６及び閲覧制御部３１７を備える。
【００２８】
格納部３１１は、電子カルテシステム２０から受信した検査オーダを保存する検査オーダテーブルを格納する。また、格納部３１１は、読影医による検査オーダの確認要否の判定に用いられる検査チェックマスタを格納する。ここで、格納部３１１に格納される検査オーダテーブル及び検査チェックマスタについて説明する。
【００２９】
図４は、格納部３１１に格納される検査オーダテーブル、及び検査チェックマスタの一例である。まず、検査オーダテーブルについて説明する。図４（Ａ）において、検査オーダテーブルは、検査依頼ＩＤ、患者情報、検査情報、許可フラグ、撮影指示、及び確認フラグの項目を備える。検査依頼ＩＤは、検査オーダを一意に識別するための識別番号である。
【００３０】
患者情報には、検査依頼ＩＤで識別される検査が実施される患者に関する情報が登録されている。患者情報は、患者を一意に識別するための「患者ＩＤ」、患者の「病名」、「既往歴」、「アレルギー」、及び「感染症」の項目を含んでいる。例えば、図４（Ａ）において、検査依頼ＩＤ「０００２」の検査オーダに基づく検査は、病名が「腎障害」で、「ぜんそく、心臓病」の既往歴がある患者ＩＤ「Ａ０３７８」の患者に対し実施されることを示している。
【００３１】
検査情報には、検査依頼ＩＤで識別される検査の検査内容に関する情報が登録されている。検査情報は、検査の実施日を指定する「検査日」、検査の種別を表す「検査種別」、撮影する部位を指定する「部位」、撮影方法を指定する「方法」、撮影の際に使用する薬品を指定する「薬品」の項目を含んでいる。例えば、図４（Ａ）において、検査依頼ＩＤ「０００２」の検査オーダは、胸部のＣＴ検査を、造影剤Ａを用いる造影撮影法によって実施することを依頼するものである。
【００３２】
許可フラグは、その検査オーダに基づく検査の実施を許可するか否かを表すフラグであり、「許可」又は「未許可」が設定される。許可フラグがどのように設定されるかについては、後述する。
【００３３】
撮影指示には、検査依頼ＩＤで識別される検査に対して読影医が入力した指示情報が格納される。撮影指示に入力された内容は、診療放射線技師が操作するユーザ端末１０ｂに表示される検査オーダにおいて確認が可能である。例えば、図５に示す、診療放射線技師が操作するユーザ端末１０ｂに表示される検査オーダ詳細画面の一例において、診療放射線技師は、検査の詳細及び読影医が入力した撮影指示を閲覧できる。
【００３４】
確認フラグは、診療放射線技師が検査オーダに基づく検査を実施する際に、検査情報及び撮影指示を確認したか否かを表すフラグであり、「確認済」又は「未確認」が設定される。例えば、図５において、診療放射線技師は、検査内容及び撮影指示を確認し、確認ボタンＢ１０を押すことによって、検査の実施入力を行うことができる。確認ボタンＢ１０が押されると、検査オーダテーブルの確認フラグの項目が、「未確認」から「確認」に変わる。
【００３５】
次に、検査チェックマスタについて説明する。検査チェックマスタは、図４（Ｂ）に示すように、チェックＩＤ、検査条件、チェック条件、重要度、及び撮影指示の項目を備える。
【００３６】
チェックＩＤは、検査チェックマスタに登録されたレコードを一意に識別するための識別番号である。
【００３７】
検査条件は、読影医による検査オーダの要否を判定する対象となる検査を指定するためのもので、「検査種別」、「部位」、「方法」、「薬品」の項目を含む。チェック条件は、検査条件で指定された検査が実施される場合に、チェックすべき患者情報を指定するためのもので、「病名」、「既往歴」、「アレルギー」、「感染症」の項目を含む。例えば、図４（Ｂ）において、チェックＩＤ「０００１」では、造影剤Ａを用いた造影撮影法で、胸部のＣＴ検査を行う場合、その検査の対象となる患者の病名が腎障害で、かつ、ぜんそく及び心臓病の既往歴があるか否かをチェックするよう指定している。
【００３８】
重要度は、検査条件及びチェック条件を検査情報及び患者情報に含む検査オーダの重要度を示すものであり、重要度が「高」の場合には、読影医の許可がなければ検査オーダに従った検査を実施できないことを意味する。検査チェックマスタにおいて、重要度は、検査条件で指定された検査を、チェック条件で指定された患者情報に該当する患者に対し実施した場合に、患者に与える影響に基づいて設定される。なお、検査情報及び患者情報に検査条件及びチェック条件を含む検査オーダを、検査条件及びチェック条件に該当する検査オーダと、以後記載する。上述したチェックＩＤ「０００１」には、重要度「高」が設定されている。これは、造影剤Ａを用いた造影撮影法で胸部のＣＴ検査を行う場合に、その検査の対象となる患者の病名が腎障害で、かつ、ぜんそく及び心臓病の既往歴がある場合、読影医の許可がなければ検査オーダに従った検査を実施できないことを意味する。
【００３９】
また、重要度が「中」の場合は、診療放射線技師が読影医の入力した撮影指示を確認しなければ検査オーダに従った検査を実施できないことを意味する。例えば頭部ＭＲ検査は、通常、Ｔ２ＷＩ（Ｔ２強調画像）、Ｔ１ＷＩ（Ｔ１強調画像）、ＦＬＡＩＲ（フレアー画像）という条件で実施される。しかし、患者にくも膜下出血の既往歴がある場合、ＭＲＡ（ＭＲアンギオグラフィー）を行った方が、読影医は読影を行いやすい。このように、患者に危険は及ばないが読影医が読影を正しく行うために必要な検査の追加や指示項目を重要度「中」とする。検査実施支援装置は、重要度は「中」である場合には、診療放射線技師が読影医の撮影指示を確認したことを検出するまで、検査を実施させないようにする
【００４０】
撮影指示の項目には、検査条件及びチェック条件に該当する検査オーダに対し、過去に読影医が行った指示内容が保存されている。検査チェックマスタの「撮影指示」に保存されている内容は、検査条件及びチェック条件に該当する検査オーダをユーザ端末１０ｂ、又は検査オーダをユーザ端末１０ｃに表示する際に、検査オーダテーブルの「撮影指示」の項目に入力されている指示情報に追加して、検査オーダの画面上に表示される。例えば、チェックＩＤ「０００３」には、撮影指示の項目に「ＭＲＡ追加」が登録されている。図４（Ａ）の検査オーダテーブルにおいて、検査依頼ＩＤ「０００４」の検査オーダは、チェックＩＤ「０００３」の検査条件及びチェック条件に該当する。従って、検査依頼ＩＤ「０００４」の検査オーダが、ユーザ端末１０ｂ又はユーザ端末１０ｃに表示される際には、検査オーダテーブルの「撮影指示」の項目に入力されている「０．５ｍｍで撮影」に加えて、検査チェックマスタの「撮影指示」の項目に入力されている「ＭＲＡ追加」も、撮影指示として表示される。
【００４１】
例えば、検査オーダテーブルの「撮影指示」の項目に「０．５ｍｍで撮影」が入力されており、検査チェックマスタの「撮影指示」の項目に何も入力されていないとする。この場合、ユーザ端末１０ｃに表示される検査オーダ詳細画面では、図６（Ａ）に示すように、撮影指示として、検査オーダテーブルの「撮影指示」の項目に入力された「０．５ｍｍで撮影」のみが表示される。一方、検査チェックマスタの「撮影指示」の項目に「ＭＲＡ追加」と入力されている場合、図６（Ｂ）に示すように、撮影指示として、「０．５ｍｍで撮影」と、「ＭＲＡ追加」とが表示される。
【００４２】
図３に戻り説明を続ける。取得部３１２は、診療科の医師が入力した検査オーダを、ユーザ端末１０ａから取得する。本実施例では、診療科の医師がユーザ端末１０ａから入力した検査オーダは、電子カルテシステム２０を経由して、ＲＩＳ・ＰＡＣＳ複合システム３０の格納部３１１の検査オーダテーブルに格納される。そこで、取得部３１２は、格納部３１１に格納された検査オーダテーブルから、読影医による確認が必要か否かの判定が済んでいない検査オーダを取得する。具体的には、取得部３１２は、「許可フラグ」に値が入力されていない検査オーダを取得する。取得部３１２は、取得した検査オーダを、判定部３１３に出力する。
【００４３】
判定部３１３は、取得部３１２から検査オーダを受付ける。判定部３１３は、取得部３１２から受付けた検査オーダに含まれる検査情報及び患者情報を用いて、検査オーダが検査条件及びチェック条件に該当するレコードを、検査チェックマスタから抽出する。抽出したレコードにおいて、重要度の項目に「高」が設定されている場合には、判定部３１３は、読影医による検査オーダの確認が必要であると判定し、検査オーダテーブルの許可フラグを「未許可」に設定する。重要度の項目に「高」以外が設定されている場合、判定部３１３は、読影医による検査オーダの確認は特に必要ないと判定し、検査オーダテーブルの許可フラグを「許可」に設定する。
【００４４】
表示部３１４は、格納部３１１の検査オーダテーブルの内容に基づいて、読影医が操作するユーザ端末１０ｃに検査オーダを表示する。図７（Ａ）は、ユーザ端末１０ｃに表示される検査オーダ一覧の例である。図７（Ａ）の例では、検査日が１月１５日の検査を一覧表示している。一覧表示画面では、患者情報及び検査情報とともに、例えば、確認要否の項目が表示される。確認要否の項目は、読影医に、検査オーダの確認と、検査オーダに基づく検査の実施を許可するか否かの決定を求めるための項目である。表示部３１４は、検査オーダを表示する際に、検査オーダテーブルの許可フラグに「不許可」が設定されている場合には、確認要否の項目に、例えば「要」と表示する。これにより、読影医は、確認が必要な検査オーダを容易に見つけ出すことができる。
【００４５】
また、表示部３１４は、検査オーダをユーザ端末１０ｃに表示する際に、検査オーダが、検査チェックマスタの「撮影指示」に値が入力されている検査条件及びチェック条件に該当するか否か判定する。検査オーダが、検査チェックマスタの「撮影指示」に値が入力されている検査条件及びチェック条件に該当する場合、表示部３１４は、図６（Ｂ）で説明したように、検査チェックマスタの「撮影指示」の項目に入力された内容を、検査オーダテーブルの「撮影指示」の項目に入力された内容に追加して表示する。
【００４６】
受付部３１５は、読影医が操作するユーザ端末１０ｃから、検査オーダの実施許可の入力、及び撮影指示の入力を受付ける。図７（Ｂ）は、図７（Ａ）の検査オーダ一覧に表示された検査オーダのいずれかを、読影医がクリック等で選択することによって表示される検査オーダの詳細画面の一例である。読影医は、図７（Ａ）において確認要否の項目に「要」が表示されている検査オーダを選択し、図７（Ｂ）の詳細画面において検査情報の詳細を閲覧する。そして、読影医は、検査オーダに基づく検査を実施して良いか否かを判断する。読影医は、例えば、図７（Ｂ）の検査オーダ詳細画面に配置された、実施許可ボタンＢ２０を押すことで、検査の実施を許可できる。また、読影医は、特定の条件の下で検査の実施を許可する場合、あるいは、検査に対して詳細な指示を行いたい場合、検査オーダに対して撮影指示を入力することができる。なお、確認要否の項目に「不要」が表示されている検査オーダについても、読影医による閲覧及び撮影指示の入力は可能である。
【００４７】
受付部３１５は、ユーザ端末１０ｃから、検査オーダに対する実施許可を受付けた場合、検査オーダテーブルの許可フラグの項目に「許可」を設定する。また、受付部３１５は、ユーザ端末１０ｃから受付けた撮影指示を、検査オーダテーブルの「撮影指示」の項目に入力する。また、受付部３１５は、ユーザ端末１０ｃから受付けた撮影指示を、登録部３１６に出力する。
【００４８】
登録部３１６は、撮影指示が入力された検査オーダの検査情報及び患者情報と、読影医が入力した撮影指示とを関連付けて、検査チェックマスタに登録する。例えば、図８（Ａ）に示す検査オーダに対して、撮影指示として、０．５ｍｍ間隔での撮影を指示する「０．５ｍｍで撮影」が読影医により入力されたとする。この場合、登録部３１６は、図８（Ｂ）に示すように、検査条件及びチェック条件が検査オーダの検査情報及び患者情報と合致するレコードがある場合には、そのレコードの「撮影指示」の項目に検査オーダで入力された撮影指示「０．５ｍｍで撮影」を登録する。また、検査条件及びチェック条件が検査オーダの検査情報及び患者情報と合致するレコードが無い場合には、新たなレコードを登録し、新たなレコードの「撮影指示」の項目に検査オーダで入力された撮影指示「０．５ｍｍで撮影」を登録する。その際、登録部３１６は、重要度の項目を、図８（Ｃ）に示すように、例えば「中」に設定する。
【００４９】
閲覧制御部３１７は、診療放射線技師が操作するユーザ端末１０ｂに表示される検査オーダの表示方法を制御することによって、診療放射線技師による検査オーダの閲覧可否を制御する。閲覧制御部３１７は、検査オーダテーブルの許可フラグに「未許可」が設定されている検査オーダについては、診療放射線技師が検査オーダに基づく検査を実施できないように、ユーザ端末１０ｂから検査情報の少なくとも一部を閲覧できないようにする。
【００５０】
図９は、閲覧制御部３１７が閲覧制御を実施した場合に、診療放射線技師が操作するユーザ端末１０ｂに表示される検査オーダ一覧の例である。図９に示す検査オーダ一覧の画面例では、画面左側に表示された撮影室のいずれかを選択すると、画面右側に、選択された撮影室で予定されている検査の検査オーダ一覧が表示されるようになっている。ここで、例えば、ＣＴ撮影室１で、患者Ａに対するＣＴ検査と、患者Ｂに対するＣＴ検査が予定されているが、患者Ｂに対するＣＴ検査の検査オーダの許可フラグには「未許可」が設定されているとする。この場合、例えば、閲覧制御部３１７は、図９（Ａ）に示すように、患者Ｂに対するＣＴ検査の検査オーダを画面に表示させないことで、診療放射線技師が検査オーダを閲覧できないようにする。あるいは、閲覧制御部３１７は、図９（Ｂ）に示すように、患者Ｂに対するＣＴ検査が予定されていることを診療放射線技師が確認できるように、患者名と検査種別とは表示し、部位、方法、及び薬品等、検査の実施に必要な情報を診療放射線技師が閲覧できないようにする。また、閲覧制御部３１７は、図９（Ｃ）に示すように、画面上に許可フラグの情報を示して、検査に必要な情報がなぜ表示されないのか、診療放射線技師が確認できるようにしてもよい。
【００５１】
また、閲覧制御部３１７は、ユーザ端末１０ｂから検査オーダの閲覧を可能にする際に、検査オーダが、検査チェックマスタの「撮影指示」に値が入力されている検査条件及びチェック条件に該当するか否か判定する。検査オーダが、検査チェックマスタの「撮影指示」に値が入力されている検査条件及びチェック条件に該当する場合、閲覧制御部３１７は、図６（Ｂ）で説明したように、検査チェックマスタの「撮影指示」の項目に入力された内容を、検査オーダテーブルの「撮影指示」の項目に入力された内容に追加して表示する。
【００５２】
次に、ＲＩＳ・ＰＡＣＳ複合システム３０が実行する処理の一例について説明する。まず、図１０を用いて、読影医による検査オーダの確認が必要か否か判定する処理の一例について説明する。
【００５３】
まず、取得部３１２は、読影医による確認要否の判定が済んでいない検査オーダ（判定対象の検査オーダ）が検査オーダテーブルに存在するか否か判定する（ステップＳ１１）。ステップＳ１１の判定がＮＯの場合、取得部３１２は、本処理を終了する。
【００５４】
ステップＳ１１の判定がＹＥＳの場合、取得部３１２は、検査オーダテーブルから判定対象の検査オーダを取得する（ステップＳ１２）。
【００５５】
次に、判定部３１３は、ステップＳ１２で取得した検査オーダの検査情報に含まれる検査条件が、検査チェックマスタに存在するか否か判定する（ステップＳ１３）。
【００５６】
ステップＳ１３の判定がＹＥＳの場合、判定部３１３は、検査条件と関連付けられたチェック条件が、ステップＳ１２で取得した患者情報に含まれるか否か判定する（ステップＳ１４）。ステップＳ１４の判定がＹＥＳの場合、判定部３１３は、重要度の項目に「高」が設定されているか否か判定する（ステップＳ１５）。
【００５７】
重要度の項目に「高」が設定されている場合には（ステップＳ１５／ＹＥＳ）、判定部３１３は、検査オーダの許可フラグの項目に「未許可」を設定する（ステップＳ１６）。
【００５８】
ステップＳ１３の判定がＮＯの場合、ステップＳ１４の判定がＮＯの場合、またはステップＳ１５の判定がＮＯの場合、判定部３１３は、検査オーダの許可フラグの項目に「許可」を設定する（ステップＳ１７）。
【００５９】
判定部３１３は、ステップＳ１６又はステップＳ１７の処理が完了すると、本処理を終了する。
【００６０】
次に、図１１を用いて、検査オーダの閲覧要求を受付けた場合に、ＲＩＳ・ＰＡＣＳ複合システム３０が実行する処理の一例について説明する。
【００６１】
表示部３１４及び閲覧制御部３１７は、検査オーダの閲覧要求を受付けたか否か判定する（ステップＳ２１）。ステップＳ２１の判定がＮＯの場合、表示部３１４及び閲覧制御部３１７はステップＳ２１の処理を継続する。
【００６２】
ステップＳ２１の判定がＹＥＳの場合、表示部３１４及び閲覧制御部３１７は、検査オーダの閲覧を要求した要求元が、読影医が操作するユーザ端末１０ｂであるのか、診療放射線技師が操作するユーザ端末１０ｃであるのか判定する（ステップＳ２２）。検査オーダの閲覧要求の要求元が、読影医が操作するユーザ端末１０ｂである場合（ステップＳ２２／読影医）、表示部３１４は、ユーザ端末１０ｃに、検査オーダの確認要否を検査オーダごとに表示する（ステップＳ２３）。次に、受付部３１５は、ユーザ端末１０ｃから検査オーダの実施許可の入力を受付ける（ステップＳ２４）。受付部３１５は、実施許可の入力の受付が終了すると、本処理を終了する。
【００６３】
検査オーダの閲覧要求の要求元が、診療放射線技師が操作するユーザ端末１０ｃである場合（ステップＳ２２／診療放射線技師）、閲覧制御部３１７は、検査オーダの許可フラグの項目に「許可」が設定されているか否か判定する（ステップＳ２５）。
【００６４】
ステップＳ２５の判定がＹＥＳの場合、閲覧制御部３１７は、ユーザ端末１０ｂからの検査オーダの閲覧を可能とし（ステップＳ２６）、処理を終了する。ステップＳ２５の判定がＮＯの場合、閲覧制御部３１７は、検査オーダの少なくとも一部を閲覧不可能とし（ステップＳ２７）、本処理を終了する。
【００６５】
以上の説明から明らかなように、上述の実施例によれば、取得部３１２が、検査オーダから検査対象の患者の患者情報及び検査情報を取得し、判定部３１３が、検査チェックマスタと、取得部３１２で取得した検査情報及び患者情報とに基づいて、検査オーダの読影医による確認が必要か否か判定し、表示部３１４が、判定部３１３での判定結果を、読影医が操作するユーザ端末１０ｃに表示する。読影医による確認が必要な検査オーダについては、受付部３１５が、読影医が操作するユーザ端末１０ｃから実施許可を受付けるまで、閲覧制御部３１７が、診療放射線技師が操作するユーザ端末１０ｂから検査オーダの少なくとも一部を閲覧できないようにする。これにより、誤った内容で登録されている可能性が高い検査オーダに基づいた検査を、診療放射線技師が実行する可能性を低減できる。また、重要度に「高」が設定されている検査については、読影医の実施許可が必要なため、正しい検査情報に基づいた適切な検査が実施される可能性が高まる。また、誤った内容で登録されている可能性が高い検査オーダに基づいた検査が実施されることにより医療過誤が発生する可能性を低減できる。
【００６６】
ここで、誤った内容で登録されている可能性が高い検査オーダに基づいた検査が実施されることによる医療過誤を防ぐために、例えば、全ての検査オーダに対して読影医が確認を行い、読影医の確認後に、診療放射線技師が検査オーダに基づく検査を実施するような運用を図ることも考えられる。しかし、この場合、読影医は読影以外の、検査オーダの確認作業に多くの時間をとられることになりかねない。その結果、検査が遅延したり、検査結果（読影レポート）がなかなか診療科の医師に届かないなどの問題が生じてしまう可能性がある。上述の実施例において、検査チェックマスタの重要度は、検査条件で指定された検査を、チェック条件で指定された患者情報を有する患者に対し実施した場合に、患者に与える影響に基づいて設定されている。これにより、読影医の確認が必要な検査オーダが取捨選択されるため、検査の遅延や検査結果報告の遅延が抑止できるとともに、不適切な検査オーダ内容に従った検査が実施されることにより生じる医療過誤を抑止できる。
【００６７】
また、閲覧制御部３１７は、読影医による検査オーダの確認が必要な場合に、受付部３１５が実施許可を受付けるまで、検査種別の閲覧は可能とすることができる。これにより、診療放射線技師は、実施が予定されている検査の数や、混雑の程度等を推定できる。
【００６８】
また、受付部３１５は、読影医が操作するユーザ端末１０ｃから、検査オーダに対する指示情報の入力を受付け、登録部３１６が、指示情報が入力された検査オーダの検査情報及び患者情報と、指示情報とを関連付けて、検査チェックマスタに登録する。そして、検査オーダの検査情報及び患者情報が、指示情報と関連付けられた検査条件及びチェック条件と合致する場合、実施許可を受付けると、検査チェックマスタに登録された指示情報を追加して検査オーダを閲覧可能とする。これにより、読影医が過去に同様の検査を行った際に入力した指示内容が、検査オーダに反映されるため、指示漏れを低減することができる。また、診療放射線技師は、指示内容を反映した検査オーダに基づいた適切な検査を実施することができる。
【００６９】
なお、診療科の医師が入力する検査オーダには、検査の種別、撮影方法、使用する薬品等の検査情報が含まれているが、より安全で適切な検査を行うために、読影医が撮影部位、撮影方法、使用する薬品、撮影条件等について診療放射線技師に指示する場合がある。主治医よりも読影医の方が、検査の依頼目的に合った、より適切な検査を実施するための撮影方法、使用薬剤等に関する知識や、患者の放射線被爆量を抑制する方法等に関する知識を有しているためである。
【００７０】
しかしながら、従来の画像情報システムでは、検査オーダの確認は可能だが、検査オーダに対して撮影指示等の情報を入力することができないため、電話やメモ等を使用して指示を行わなければならなかった。そのため、指示内容が正しく診療放射線技師に伝わらず、指示内容が検査に反映されていないおそれがあった。また、伝達した指示内容の記録が残らないため、指示内容に基づいた検査が実際に行われたのか否かを確認することも難しかった。
【００７１】
これに対し、上述の実施例によれば、読影医が入力した撮影指示は、検査オーダテーブルに記録されるため、伝達した指示内容の記録を残すことができる。また、図６で説明したように、診療放射線技師が読影医からの撮影指示を確認し、確認ボタンＢ１０を押すと、検査オーダテーブルの確認フラグに「確認」が設定される。従って、検査オーダテーブルの確認フラグを確認することで、指示内容が診療放射線技師に伝達されたか否か判定することができる。また、上述の実施例では、確認ボタンＢ１０を押してからでないと、診療放射線技師は、検査の実施入力ができないようになっている。これにより、診療放射線技師に対して指示内容に基づいた検査の実施を促すことができる。
【００７２】
なお、ＲＩＳ・ＰＡＣＳ複合システム３０が有する機能を、サーバ５０（第１の情報処理装置）、画像情報システム（ＰＡＣＳ）６０（第２の情報処理装置）、及び放射線情報システム（ＲＩＳ）７０（第３の情報処理装置）に分散して持たせることにより、検査実施支援システムを形成してもよい。例えば、図１２に示すように、サーバ５０が格納部、取得部、判定部を備え、ＰＡＣＳ６０が受付部、表示部、登録部を備え、ＲＩＳ７０が閲覧制御部を備え、各部がネットワーク４０を介してデータを送受信することで、上述のＲＩＳ・ＰＡＣＳ複合システム３０と同様の効果を得ることができる。各部が実行する処理は、上述した各部の処理と同様であるため、説明を省略する。
【００７３】
以上、本件の実施例について詳述したが、本件は係る特定の実施例に限定されるものではなく、特許請求の範囲に記載された本発明の要旨の範囲内において、種々の変形・変更が可能である。
【００７４】
上述の実施例では、説明を簡単にするため、検査条件として、検査種別、部位、方法、及び薬品を指定していたが、検査条件及び検査情報は、これに限られるものではない。検査条件として、検査名、体位方向、検査目的、特殊指示、及び定型コメント等を使用してもよい。ここで、特殊指示とは、例えば、フリーテキスト項目であり、検査に関する指示が入力される。また、定型コメントには、リスト化され、予め登録されたコメント（例えば、「車椅子使用」、「ストレッチャー使用」等）の中から医師が選択したコメントが入力される。
【００７５】
また、上述の実施例では、説明を簡単にするため、チェック条件として、病名、既往歴、アレルギー、及び感染症を指定していたが、チェック条件はこれに限られるものではない。例えば、チェック条件として、体重、ＢＭＩ、体表面積、肥満度、体脂肪率、血液型、ＴＰＨＡ、ＰＰＲ、ＨＢｓ抗原、ＨＶＳ抗体、ツ反、ワ氏、ＨＩＶ、ＨＲＳ、Ａｂ、ＨＢｓＡｂ、ＭＲＳＡ、ＦＴＡ−ＡＢＳ、ＨＢＳ、Ｅ抗体、妊婦情報、頭囲、胸囲、座高、及び身長等を使用してもよい。
【００７６】
また、上述の実施例では、検査チェックマスタが、重要度の項目を備え、重要度が「高」の場合に、判定部３１３は、読影医による検査オーダの確認が必要と判定した。しかし、検査チェックマスタは、必ずしも重要度の項目を備えている必要はない。例えば、検査チェックマスタに検査条件及びチェック条件のみを登録し、検査オーダが検査チェックマスタに登録された検査条件及びチェック条件に該当すれば、判定部３１３は、読影医による検査オーダの確認が必要であると判定してもよい。
【００７７】
また、上述の実施例では、診療科の医師、診療放射線技師、及び読影医がそれぞれ別々にユーザ端末１０ａ〜１０ｃを操作することとしていたが、三者が同じユーザ端末１０ａを使用してもよい。この場合、各人を識別するＩＤ番号等によって、アクセスするシステム（例えば、診療科の医師ならば電子カルテシステム２０等）を制御することができる。また、この場合、ユーザ端末１０ａが、第一の端末及び第二の端末に相当する。
【００７８】
なお、上記の検査実施支援装置（ＲＩＳ・ＰＡＣＳ複合システム３０）が有する機能は、ＣＰＵ、ＲＯＭ、ＲＡＭ等を備えるコンピュータによって実現することができる。その場合、検査実施支援装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。
【００７９】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【００８０】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【符号の説明】
【００８１】
１０ａ〜１０ｃ…ユーザ端末
３０…ＲＩＳ・ＰＡＣＳ複合システム
５０…サーバ
６０…画像情報システム
７０…放射線情報システム
３１１…格納部
３１２…取得部
３１３…判定部
３１４…表示部
３１５…受付部
３１６…登録部
３１７…閲覧制御部
【図１】
0005573283.tif 000002
【図２】
0005573283.tif 000003
【図３】
0005573283.tif 000004
【図４】
0005573283.tif 000005
【図５】
0005573283.tif 000006
【図６】
0005573283.tif 000007
【図７】
0005573283.tif 000008
【図８】
0005573283.tif 000009
【図９】
0005573283.tif 000010
【図１０】
0005573283.tif 000011
【図１１】
0005573283.tif 000012
【図１２】
0005573283.tif 000013